(57)【特許請求の範囲】
【請求項１】
脚支柱の上端に固定した座受けと、前記座受けで支持された座体と、背部と、前記背部が取り付くと共に前記座受けに後傾動自在に取付けられた揺動フレームと、前記揺動フレームの後傾動を弾性的に支持する弾性手段とを備えており、更に、前記背部は合成樹脂製でシェル状の下部材を備えており、この下部材を前記揺動フレームに固定している椅子であって、
前記下部材には、着座した人の腰を左右外側から囲うように座体の左右外側に位置した側枠部が一体に設けられており、このため下部材は平面視で前向き凹状に形成されており、かつ、前記下部材の側枠部の上面は側面視で後傾しており、
更に、前記下部材の下端は座体の下方に位置しており、この下部材の下端に、前記揺動フレームを下方及び左右側方から囲う嵌合部が、正面視で下向きに突出するように形成されている、
椅子。
【請求項２】
前記左右の側枠部に、当該側枠部を人が手で掴み得るように、人の手の甲が入る程度の穴を空けている、
請求項１に記載した椅子。
【発明の詳細な説明】
【０００１】
【発明の属する技術分野】
本発明は、ロッキング機能を備えた椅子に関するものである。
【０００２】
【従来の技術】
人のもたれ掛かりによって背もたれが後傾するロッキング椅子において、背もたれを後傾させる手段としては、脚の上端に設けた座受け部材に、支持フレームを後傾動自在に取付け、この支持フレームをばねで支持すると共に、支持フレームに背もたれをねじ止め等の手段によって固定した構造になっていることが多い。
【０００３】
また、座体を座受け部材に対して後退動及び後傾動自在に取り付け、支持フレームと座体とをピンで連結することにより、背もたれの後傾動に伴って座体が後退しつつ後傾するシンクロ機構とすることも多く行われている。
【０００４】
【発明が解決しようとする課題】
ところで、椅子においては、軽量化やデザイン向上のため、部材を合成樹脂で製造する傾向が強い。そして、前記した支持フレームを合成樹脂で製造する場合は、強度を確保するため、ＦＲＰ（繊維強化プラスチック）のようないわゆるエンジニアリングプラスチック製としていることが多い。
【０００５】
しかし、ＦＲＰは、高価であると共に廃棄した後のリサイクルが困難であり、このため、ＦＲＰ製品については、例えばポリプロピレンのようにリサイクルが容易な素材に代替することが求められている。さりとて、単にポリプロピレンに素材を変更しただけでは強度が低下してしまう。
【０００６】
他方、従来のロッキング椅子を見ると、椅子の後部に平板状の背もたれを配置した形態になっており、椅子を移動させる場合は、背もたれの縁を手で掴んで押したり引いたりしている。また、椅子を持ち上げる場合は、両手で背もたれの縁を掴で持ち上げたり、背もたれと座体との縁を掴んで持ち上げたりしている。
【０００７】
しかし、背もたれの縁や座の縁はしっかりと掴みにくいため、移動や持ち上げが面倒であった。
【０００８】
本発明は、このような現状を改善することを目的とするものである。
【０００９】
【課題を解決するための手段】
請求項１に係る椅子は、脚支柱の上端に固定した座受けと、前記座受けで支持された座体と、背部と、前記背部が取り付くと共に前記座受けに後傾動自在に取付けられた揺動フレームと、前記揺動フレームの後傾動を弾性的に支持する弾性手段とを備えており、更に、前記背部は合成樹脂製でシェル状の下部材を備えており、この下部材を前記揺動フレームに固定している。
そして、前記下部材には、着座した人の腰を左右外側から囲うように座体の左右外側に位置した側枠部が一体に設けられており、このため下部材は平面視で前向き凹状に形成されており、かつ、前記下部材の側枠部の上面は側面視で後傾しており、更に、前記下部材の下端は座体の下方に位置しており、この下部材の下端に、前記揺動フレームを下方及び左右側方から囲う嵌合部が、正面視で下向きに突出するように形成されている。
【００１０】
【００１１】
請求項２に係る椅子は、請求項１において、前記下部材の左右の側枠部に、当該側枠部を人が手で掴み得るように、人の手の甲が入る程度の穴を空けている。
【００１２】
【発明の作用・効果】
本発明によると、背部がポリプロピレンのような素材からなっていても、側枠部のリブ効果によって背もたれ荷重に対する応力が大きくなるため、その厚さを厚くすることなく強度を確保することができる。
【００１３】
従って、本発明によると、背部を、ポリプロピレンのような安価でリサイクル性に優れた樹脂で製造することができる。また、側枠部で人の腰が包まれる状態になるため、座り心地も向上することもできる。この場合、実施形態に記載したように、側枠部に、人の腰に当たるパッドを取付けると、一層好ましい。
【００１４】
請求項２のように、背部を上部材と下部材とに分離構成すると、下部材は１種類だけ用意しておいて、上部材は高さ寸法や巾寸法等が異なるものを複数種類容易しておくことにより、デザインや寸法の異なる多種類の背部を、下部材を共通化した状態で製造することができる。このため、デザインの異なる椅子を、安価に製造することができる。
【００１５】
更に、請求項３のように構成すると、側枠部に形成された穴に指を挿入することにより、当該側枠部をしっかりと掴むことができるため、椅子を移動させたり持ち上げたりすることを、容易に行うことができる。
【００１６】
【発明の実施形態】
次に、本発明の実施形態を図面に基づいて説明する。
【００１７】
(1).第１実施形態（図１〜図６）
図１〜図６では第１実施形態を示しており、このうち図１は右側面図、図２は正面図、図３は平面図、図４は縦断右側面図、図５及び図６は分離斜視図である。
【００１８】
例えば図５に示すように、椅子は、ガスシリンダー等の脚支柱１を備えた脚２と、脚支柱２の上端に固定した上向き開口の座受け３と、座受け３に上方から被さる中間支持体４と、中間支持体４の後方に配置した揺動フレーム５と、中間支持体４と揺動フレーム５とで支持した座体６と、揺動フレーム５に取り付けた背部７とを備えている。脚支柱１は脚カバー８で覆われており、座受け３はベースカバー９で下方から覆われている。
【００１９】
座受け３の底面には第１ブラケット１０が固着されており、この第１ブラケット１０と座受け３とに固定したブッシュ１１に脚支柱１の上端を嵌着している。また、座受け３における左右両側板３ａの前部には前後長手の長穴１２が空いており、この長穴１２と中間支持体４の側板４ａとに第１軸１３が貫通している。
【００２０】
座受け３の下面には正面視下向き開口コ字状の第２ブラケット１４を溶接等によって固着している一方、揺動フレーム５は、第２ブラケット１４の外側に位置する側板５ａを備えており、揺動フレーム５の前端部を、第２軸１５によって第２ブラケット１４に後傾動自在に取付けている。また、揺動フレーム５と中間支持体４とは第３軸１６によって連結されている。
【００２１】
図４に示すように、座受け３の後部には、揺動フレーム５を貫通した下向きのロッド１７が抜け不能に取付けられており、このロッド１７の先端部に設けたばね受け１８で、弾性手段の一例としてのコイルばね（図示せず）を支持しており、コイルばねで揺動フレーム５を受けている。コイルばねとばね受け１８はホルダー１９で覆われている。
【００２２】
揺動フレーム５の後部には翼状の受け板２０を一体に設けており、この受け板２０で座体６の後部が支持されている。受け板２０の傾斜部には肘掛け装置の支柱をねじで固定するようになっている。
【００２３】
座体６の前部は中間支持体４に取付けられており、図では詳細は示していないが、座体６は、中間支持体４の後端部と揺動フレーム５の前端部との間の箇所において側面視で屈曲するように構成されている。
【００２４】
揺動フレーム５及び背部７がコイルばねに抗して後傾すると、座体６は、その後部寄りの箇所で屈曲しながら、後退しつつ後傾動する。
【００２５】
図１や図２に示すように、背部７は、揺動フレーム５に取付けられた下部材（腰部アウター部材）２１と、この下部材２１に取付けた上部材２２との２つの部材から成ってる。下部材２１はポリプロピレンのようなリサイクルが容易でしかも安価な樹脂で製造されている。
【００２６】
例えば図３や図６に示すように、下部材２１は、左右の側枠部（側板部）２１ａを一体に連設することにより、平面視で前向き凹状のシェル状に形成されており、側枠部２１ａに人の手の甲が入る程度の穴２３が空いている。側枠部２１ａの上面は側面視で後傾するように形成されている。
【００２７】
下部材２１の下端には、揺動フレーム５を囲う嵌合部２１ｂが一体に連設されている。嵌合部２１ｂには、脚カバー８が嵌まる前向き開口の凹所２４と、コイルばねをのホルダー１９が嵌まる逃がし穴２５とが形成されている。
【００２８】
下部材２１には、揺動フレーム５における受け板２０の先端部２０ａに上方から重なる左右一対の第１取付け片２６と、受け板２０の底部に重なる左右一対の第２取付け片２７と、揺動フレーム５における左右側板５ａの後端部が左右ずれ不能に嵌まる内外の規制部２８，２９が一体に形成されている。内規制部２８は、縦横の板でリブ構造になっている。下部材２１の両取付け片２７，２８はねじ３０で揺動フレーム５の受け板２０に固定されている。なお、内規制部２８と外規制部２９とはいずれか一方のみでも足りる。
【００２９】
例えば図６に示すように、下部材２１の前面には、側面視上向き鉤状で左右一対の第１係止爪３１と、平面視鉤状で左右一対の第２係止爪３２、及び縦横に延びるリブ３３とが上下に隔てた状態で形成されている。
【００３０】
他方、図４に示すように、背部７の上部材（背もたれ）２２は、アウターシェル３４とそのうち内側に位置したインナーシェル３５とこれに張ったクッション３６とから成っており、インナーシェル３５に、前記下部材２１の第１係止爪３０に係合する側面視下向き鉤状の第１係合爪３７と、下部材２１の第２係止爪３２に弾性に抗しての変形によって係合する平面視鉤状の第２係合爪３８とが形成されている。
【００３１】
したがって、第１係合爪３７を第１係止爪３１に嵌め合わせてから、第２係合爪３８を第１係合爪３２に弾性変形させて強制係合させることにより、上部材２２を下部材２１に対して離脱不能に取付けることができる。なお、図１に示すように、下部材２１の背面には、上部材２２におけるアウターシェル３４の左右側面に連続する溝状等のライン３９を形成している。
【００３２】
図４に示すように、上部材２２のインナーシェル３５はアウターシェル３４の下方まで延びている。また、アウターシェル３４の下端には、下部材２１と同一面を成す状態が保持されるように段部３４ａを形成している。このため体裁がよい。
【００３３】
以上の構成において、下部材２１に側枠部２１ａを形成したことによるリブ効果により、背もたれ荷重に対する下部材２１の曲げ応力が格段に向上するため、下部材２１はポリプロピレンのような素材で製造することができ、このため、コスト抑制とリサイクル性向上とに寄与できる。
【００３４】
また、背部７を上部材２２と下部材２１とに分離しているため、例えは図１に一点鎖線で示すように、下部材２１は共通化して、上部材２２の高さ寸法や巾寸法、或いは色彩等を異ならせることができ、このため、背部７のデザインが異なる椅子を安価に製造することができる。
【００３５】
また、下部材２１には人の手の甲まで入ることのできる程度の穴２３が空いているため、穴２３に手を入れて下部材２１の側枠部２１ａをしっかりと掴むことができる。このため、椅子を移動させたり持ち上げたりすることを、容易に行える。
【００３６】
本実施形態のように、下部材２１における側枠部２１ａの上面を側面視で後傾するように形成すると、人に対して過度に圧迫感を与えることはなく、デザイン的にもすっきりしている。
【００３７】
(2).他の実施形態（図７〜図10）
図７及び図８では第２実施形態を示しており、図７は一部破断側面図、図８は図７の VIII-VIII視断面図である。この実施形態では、側枠部２１ａのうち穴２３の外側の部位に、腰パッド４１を装着している。
【００３８】
腰パッド４１は、合成樹脂板製の基板４２にウレタン等のクッション材４３を配置し、クロス（表皮材）４４を張った構造であり、接着材による接着やねじ止め、あるいはピン係合等の適当な手段で側枠部２１ａに取付けている。
【００３９】
図９及び図１０では第３実施形態を示しており、図９は右側面図、図１０は図９の X-X視断面図である。この実施形態では、側枠部２１ａの内面に、当該側枠体２１ａのほぼ全面積にわたって広がる腰パッド４１を装着している。
【００４０】
腰パッド４１は穴２３を利用して、これに嵌め込み装着している。なお、腰パッド４１の面積や形状は自由に設定することができる。
【００４１】
これら第２実施形態及び第３実施形態のように、側枠部２１ａに腰パッド４１を設けると、着座した人の腰は柔らかく包み込まれるため、座り心地を向上することができる。
【００４２】
(3).その他
本発明は更に様々に具体化できる。例えば、背部は、下部材と上部材とを合成樹脂等によって一体に製造し、その前面にクッションを配置することも可能である。また、下部材を利用して肘掛けを設けることも可能である。
【図面の簡単な説明】
【図１】第１実施形態の右側面図である。
【図２】正面図である。
【図３】平面図である。
【図４】縦断右側面図である。
【図５】座受けと中間部材と揺動フレームの分離斜視図である。
【図６】揺動フレームと下部材との分離斜視図である。
【図７】第２実施形態の一部破断右側面図である。
【図８】図７の VIII-VIII視断面図である。
【図９】第３実施形態の右側面図である。
【図10】図９の X-X視視断面図である。
【符号の説明】
３  座受け
５  揺動フレーム
６  座体
７  背部
２０  受け板
２１  下部材
２１ａ  側枠部
２２    上部材
２３    穴
２７，２８  規制片
３１，３２  係止爪
３４  アウターシェル
３５  インナーシェル
３７，３８  係合爪
【図１】
0003729326.tif 000002
【図２】
0003729326.tif 000003
【図３】
0003729326.tif 000004
【図４】
0003729326.tif 000005
【図５】
0003729326.tif 000006
【図６】
0003729326.tif 000007
【図７】
0003729326.tif 000008
【図８】
0003729326.tif 000009
【図９】
0003729326.tif 000010
【図１０】
0003729326.tif 000011